(57)【要約】【課題】シンプルな構成で、防耐火性能並びに通気性能に優れ、軒天の種々の箇所に設置可能で、通気開口部が目立って見た目が悪くなることがない軒天換気材を提供することを課題とする。【解決手段】上面板２と、下面板５と、前記上面板２と前記下面板５とを連結する斜面板３及び垂直板４とで構成され、上面板２には長さ方向に多数の通気開口６が並設され、斜面板３は、通気開口６の下側に位置するように配設されてその中間部に長さ方向に伸びる一連の又は不連続の熱膨張材７が定着され、下面板５の垂直板４寄りに長さ方向に伸びる一連の又は不連続の換気スリット８が形成されて成る。【選択図】図１
2019100052.tif 000002
【特許請求の範囲】
【請求項１】
上面板と、下面板と、前記上面板と前記下面板とを連結する斜面板及び垂直板とで構成され、
前記上面板には長さ方向に多数の通気開口が並設され、前記斜面板は、前記通気開口の下側に位置するように配設されてその中間部に長さ方向に伸びる一連の又は不連続の熱膨張材が定着され、前記下面板の前記垂直板寄りに長さ方向に伸びる一連の又は不連続の換気スリットが形成されて成る軒天換気材。
【請求項２】
前記斜面板の下端部に水抜き穴が形成される、請求項１に記載の軒天換気材。
【請求項３】
前記上面板の幅方向両端縁に多数のビス穴が穿設される、請求項１又は２に記載の軒天換気材。
【請求項４】
前記通気開口は、前記上面板の前記通気開口形成部を下方に押し曲げて形成されるブリッジ開口である、請求項１乃至３のいずれかに記載の軒天換気材。
【請求項５】
前記下面板は、前記斜面板の下端を折曲延長して形成される幅広部と、前記垂直板の下端を折曲延長して形成される幅狭部とに分かれていて、前記幅広部と前記幅狭部との間の間隙が前記換気スリットとなる、請求項１乃至４のいずれかに記載の軒天換気材。
【発明の詳細な説明】
【技術分野】
【０００１】
本発明は、軒天換気材に関するものであり、より詳細には、例えば、軒裏等に設置される防耐火性能並びに通気性能に優れた軒天換気材に関するものである。
【背景技術】
【０００２】
近年、住宅耐久性及び室内温熱環境向上の要求に伴い、小屋裏換気の重要性が増大してきている。小屋裏換気のために、軒先に換気口を設けることが考えられるが、軒先に換気口、即ち、開口を設けることは、防火上の規制対象となるため、防耐火試験に合格しない限り、実施することができない（棟に換気口を設ける場合については、規制がない。）。
【０００３】
かかる観点から、本願出願人は先に、実際の現場において、極力特別な技術や材料を用いることなく万人に施工が可能であって、しかも防耐火試験をクリアーすることが可能な防耐火性能を有する軒裏構造の提案をしている（特許文献１：特開２０１３−４４１２９号公報）。その提案に係る軒裏構造は、外壁材と鼻隠し下地材との間の間隙に、板金を折曲成形し、熱膨張材と樹脂製通気材を組み込んで成る軒天換気材を配置するものである。
【０００４】
しかし、ここで用いられる軒天換気材は、樹脂製通気材を組み込むために構造が複雑となり、その分コスト高となり、また、外壁材と鼻隠し下地材との間の間隙に設置するための構成であるので、用途が限られるだけでなく、下から見た場合に通気開口部が目立ち、見た目が悪くなるという問題がある。
【先行技術文献】
【特許文献】
【０００５】
【特許文献１】特開２０１３−４４１２９号公報
【発明の概要】
【発明が解決しようとする課題】
【０００６】
上述したように、上記従来の軒天換気材の場合は、樹脂製通気材を組み込むために構造が複雑となり、その分コスト高となり、また、外壁材と鼻隠し下地材との間の間隙に設置するための構成であるので、用途が限られるだけでなく、下から見た場合に通気開口部が目立ち、見た目が悪くなるという問題があった。そこで本発明は、シンプルな構成で、防耐火性能並びに通気性能に優れ、軒天の種々の箇所に設置可能であって、通気開口部が目立って見た目が悪くなることがない軒天換気材を提供することを課題とする。
【課題を解決するための手段】
【０００７】
上記課題を解決するための請求項１に記載の発明は、上面板と、下面板と、前記上面板と前記下面板とを連結する斜面板及び垂直板とで構成され、前記上面板には長さ方向に多数の通気開口が並設され、前記斜面板には前記通気開口の下側に位置させて長さ方向に伸びる一連の又は不連続の熱膨張材が定着され、前記下面板の前記垂直板側に長さ方向に伸びる一連の又は不連続の換気スリットが形成されて成る軒天換気材である。
【０００８】
一実施形態においては、前記斜面板の下端部に水抜き穴が形成され、また、  前記上面板の幅方向両端縁に多数のビス穴が穿設される。
【０００９】
一実施形態においては、前記通気開口は、前記上面板の前記通気開口形成部を下方に押し曲げて形成されるブリッジ開口とされる。
【００１０】
一実施形態においては、前記下面板は、前記斜面板の下端を水平に折曲して延長し、適宜箇所にて水平に折り返して形成される部分と、前記垂直板の下端を水平に折曲して延長し、適宜箇所にて水平に折り返すことにより形成される部分とに分かれていて、前記斜面板の延長折曲端と前記垂直板の延長折曲端との間の間隙が前記換気スリットとなる。
【発明の効果】
【００１１】
本発明は上記のとおりであるので、シンプルな構成であって、十分に広い通気スペースが確保されていて通気性能に優れ、全体が金属製であって熱膨張材が付設されているので防耐火性能にも優れ、軒天の種々の箇所に設置することができる効果がある。また、換気スリットと上面板の通気開口とが位置的にずれているため、換気スリットを通して通気開口が露見して見た目が悪くなることが防止され、同時に、雨雪が通気開口６を通って侵入することが防止される効果がある。
【図面の簡単な説明】
【００１２】
【図１】本発明に係る軒天換気材の一実施形態を示す斜視図である。
【図２】本発明に係る軒天換気材の一実施形態の側面図である。
【図３】本発明に係る軒天換気材の種々の施工例を示す図である。
【図４】図３（Ａ）に示す施工例の施工状態を示す図である。
【図５】本発明に係る軒天換気材の種々の施工例を示す図である。
【発明を実施するための形態】
【００１３】
本発明を実施するための形態について、添付図面を参照しつつ説明する。図１，２に示されるように、本発明に係る軒天換気材１は、上面板２と、上面板２に斜面板３及び垂直板４を介して連結される下面板５とで構成される。以上の各板２〜５は、いずれも鋼板又はこれと同等資材製である。
【００１４】
上面板２には、長さ方向に多数の通気開口６が並設される。通気開口６は、単なる開口であってもよいし、図示した例のような、長方形の短寸側のみがつながった状態に押し曲げられた、所謂ブリッジ開口であってもよい。この軒天換気材１は、上面板２を野縁２０に留め付けることにより設置されるものであるため、上面板２の幅方向両端縁部に、多数のビス孔１０が穿設される。
【００１５】
斜面板３は、通気開口６の下側に位置するように配設され、その中間部に長さ方向に伸びる熱膨張材７が定着される。熱膨張材７は一連のものであってもよいし、長尺のものを並置した不連続のものであってもよい。斜面板３は、その上端が上面板２の裏面に沿って外方に折曲延長され、上面板２の端部において上面板２の端部をくるむように折り返され、カシメ止め等によって上面板２に固定される。また、垂直板４は、その上端が上面板２の裏面に沿って外方に折曲延長され、上面板２の端部において上面板２の端部をくるむように折り返され、カシメ止め等によって上面板２に固定される。好ましくは、斜面板３の下端部に、適宜間隔置きに水抜き穴９が穿設される。
【００１６】
下面板５は、例えば、斜面板３と一体の幅広部５ａと、垂直板４と一体の幅狭部５ｂとに分けられて構成される（図１，２参照）。斜面板３と一体の幅広部５ａは、斜面板３の下端を内方に折曲延長し、適宜箇所にて裏側に折り重ね、その先端部は斜面板３の上記内方折曲部を越えて外方向に延長されて形成される。また、垂直板４と一体の幅狭部５ｂは、垂直板４の下端を内方に直角に折曲延長し、適宜箇所にて上側に折り重ねて形成される。この場合、幅広部５ａの内端部と幅狭部５ｂの内端部が離隔されて換気スリット８が形成される。なお、幅広部５ａの内端部と幅狭部５ｂの内端部とを部分的につなげる構成とすることもできる。後述するように、幅広部５ａと上面板２との間に、軒天材２１の端部が挿入される。
【００１７】
上記構成の軒天換気材１は、後述するように、軒天部の種々の箇所に設置可能であるが、そのいずれの場合においても、空気は換気スリット８から流入し、多数の通気開口６から抜ける。そして、火災等の有事には、熱膨張材７が膨張して通気開口６を完全に閉塞するので、外壁材２２を伝ってくる火炎が、軒天換気材１を通って軒内に入り込むことが阻止される。また、換気スリット８と上面板２の通気開口６とが位置的にずれているため、換気スリット８を通して通気開口６が露見して見た目が悪くなることが防止され、同時に、雨雪が通気開口６を通って侵入することが防止される。
【００１８】
図３は、本発明に係る軒天換気材１を、野縁２０が水平の軒天に設置する場合の収まり状態を示すものである。図３（Ａ）及び図４に示す例は、軒天換気材１を壁元に設置する場合で、この場合は、換気スリット８が壁元側にくるようにして上面板２を野縁２０の裏面に留め付け、外壁材２２を垂直板４の外側に差し込み、また、軒天材２１の端部を上面板２と下面板５の幅広部５ａとの間に差し込んで固定する。符号２３は、胴縁である。なお、軒の出が長い場合は、吊木２４を取り付ける（図４参照）。
【００１９】
図４に示される例からも明らかなように、本発明に係る軒天換気材１は、その設置状態において、開口、即ち、換気スリット８が目立たないため、その設置によって見た目が悪くなることはない。  
【００２０】
図３（Ｂ）に示す例も壁元に設置する場合であるが、この場合は、外壁材２２の天面で下面板５の幅狭部５ｂの裏面を受けるように施工される。それ以外は、図３（Ａ）及び図４に示す例の場合と同じである。
【００２１】
図３（Ｃ）に示す例は、軒天換気材１を野縁２０の中間部に設置する場合の収まり状態を示すもので、この場合は軒天換気材１を野縁２０の中間部に留め付け、壁元側の軒天材２１の端部を上面板２と下面板５の幅広部５ａとの間に差し込んで固定し、また、鼻先側の軒天材２１の端部を上面板２と下面板５の幅狭部５ｂとの間に差し込んで固定する。
【００２２】
図３（Ｄ）に示す例は、軒天換気材１を鼻先に設置する場合の収まり状態を示すもので、この場合は、換気スリット８が鼻先側にくるようにして上面板２を野縁２０並びに下地材２５の裏面に留め付け、軒天材２１の鼻先側端部を、上面板２と下面板５の幅広部５ａとの間に差し込んで固定する。なお、図３（Ｄ）における符号２６は、鼻隠しである。
【００２３】
図５は、本発明に係る軒天換気材１を、野縁２０が勾配を有する軒天に設置する場合の収まり状態を示すものである。図５（Ａ）に示す例は、軒天換気材１を壁元に設置する場合で、この場合は、換気スリット８が壁元側にくるようにして上面板２を野縁２０の裏面に留め付け、外壁材２２を垂直板４の外側に差し込み、また、軒天材２１の端部を上面板２と下面板５の幅広部５ａとの間に差し込んで固定する。
【００２４】
図５（Ｂ）に示す例も壁元に設置する場合であるが、この場合は、外壁材２２の天面で下面板５の幅狭部５ｂの裏面を受けるように施工される。それ以外は、図５（Ａ）に示す例の場合と同じである。
【００２５】
図５（Ｃ）に示す例は、軒天換気材１を野縁２０の中間部に設置する場合の収まり状態を示すもので、この場合は軒天換気材１を野縁２０の中間部に留め付け、壁元側の軒天材２１の端部を上面板２と下面板５の幅広部５ａとの間に差し込んで固定し、また、鼻先側の軒天材２１の端部を上面板２と下面板５の幅狭部５ｂとの間に差し込んで固定する。
【００２６】
図５（Ｄ）に示す例は、軒天換気材１を鼻先に設置する場合の収まり状態を示すもので、この場合は、換気スリット８が鼻先側にくるようにして上面板２を野縁２０並びに下地材２５の裏面に留め付け、軒天材２１の鼻先側端部を、上面板２と下面板５の幅広部５ａとの間に差し込んで固定する。
【産業上の利用可能性】
【００２７】
本発明に係る軒天換気材１は、このように種々の箇所に簡単に設置することができ、換気スリット８から上面板２の通気開口６に至るまでの間に十分に広い通気スペースが確保されるために通気性能に優れ、しかも、通気開口部が目立って見た目が悪くなることがなく、全体が金属製であって熱膨張材が付設されているので防耐火性能にも優れ、また、雨雪の侵入のおそれのないものであって、その産業上の利用可能性は大である。
【符号の説明】
【００２８】
１              軒天換気材  
２              上面板
３              斜面板
４              垂直板
５              下面板
５ａ            幅広部
５ｂ            幅狭部
６              通気開口
７              熱膨張材
８              換気スリット
９              水抜き穴
１０            ビス孔
２０            野縁
２１            軒天材
２２            外壁材
２３            胴縁
２４            吊木
２５            下地材
２６            鼻隠し
【図１】
2019100052.tif 000003
【図２】
2019100052.tif 000004
【図３】
2019100052.tif 000005
【図４】
2019100052.tif 000006
【図５】
2019100052.tif 000007